(57)【要約】【課題】  マイナスイオン効果と抗菌効果を有するキャッシュカード、ＩＤカード等のカードを提供する。  【解決手段】  基材１の両側にマイナスイオンを発生する樹脂層２ａ、２ｂを設け、この樹脂層２ａ、２ｂの外側にオーバーシート層４ａ、４ｂを設け、このオーバーシート層４ａ、４ｂの外側にオーバーシート層４ａ、４ｂとは別個に、光触媒等の抗菌剤粉末を混入した抗菌剤層５ａ、５ｂを構成した。【選択図】  図２
0003107338.tif 000002
【実用新案登録請求の範囲】
【請求項１】
基材の少なくとも片面側にマイナスイオンを発生するパウダーを含有した樹脂層を設け、この樹脂層の外側に絵柄層を設け、この絵柄層をオーバーシート層で保護し、このオーバーシート層上に抗菌剤層を形成し、この抗菌剤層は光触媒粒子としての０．３〜１０μ程度の酸化チタン粒子と、電極及び抗菌剤としての銀粒子と、菌の吸着剤としてハイドロキシアパタイト粒子を含んでおり、前記光触媒粒子が外部に露出するようにオーバーシート層よりも薄く形成されていることを特徴とするカード。
【請求項２】
前記光触媒は水性塗料としてオーバーコート上に塗布されることを特徴とする請求項１又は２記載のカード。
【請求項３】
前記マイナスイオンを発生するパウダーは、トルマリンおよび／又はドラバイトであることを特徴とする請求項１乃至３のいずれかに記載のカード。
【請求項４】
前記抗菌剤層は５〜１００μの厚さを有していることを特徴とする請求項１乃至３のいずれかに記載のカード。
【考案の詳細な説明】
【技術分野】
【０００１】
本考案は、キャッシュカード、メンバーズカード、クレジットカード等のカードに関する。
【背景技術】
【０００２】
最近、マイナスイオンに関する製品が話題になっており、マイナスイオンは、健康機能寝具等に用いることにより、血液の血行を良好とし、身体をリフレッシュするばかりでなく、防臭、消臭効果も有するとしてマイナスイオンを発生させる器具が種々開発されている。その中の１つとしてマイナスイオンを発生させるためのカードが提案されている。また、カードはいろいろな人達が触れるため、衛生的でないので、カードのオーバーシート層に抗菌剤を混入したものが提案されている。
【特許文献１】特開２００３−３２０６２５
【特許文献２】特開平０９−９４９２１号
【考案の開示】
【考案が解決しようとする課題】
【０００３】
上述の従来技術としてのカードの中にマイナスイオンを発生するもの、又は抗菌効果を発揮するものが個々に存在するが、一枚のカードでマイナスイオン効果と抗菌効果の両方の効果を発揮するものは存在しない。
【課題を解決するための手段】
【０００４】
そこで、本考案は、基材の少なくとも片面側にマイナスイオンを発生するパウダーを含有した樹脂層を設け、この樹脂層の外側に絵柄層を設け、この絵柄層をオーバーシート層で保護し、このオーバーシート層上に抗菌剤層を形成し、この抗菌剤層は光触媒粒子としての０．３〜１０μ程度の酸化チタン粒子と、電極及び抗菌剤としての銀粒子と、菌の吸着剤としてハイドロキシアパタイト粒子を含んでおり、前記光触媒粒子が外部に露出するようにオーバーシート層よりも薄く形成されていることを特徴とする。
【０００５】
また、前記光触媒は水性塗料としてオーバーコート上に塗布されることを特徴とする。
【０００６】
また、前記マイナスイオンを発生するパウダーは、トルマリンおよび／又はドラバイトである。更に、前記抗菌剤層は５〜１００μの厚さを有していることを特徴とする。
【考案の効果】
【０００７】
本考案のカードはマイナスイオン効果と抗菌効果を併せもつので、カードを所持する人をリフレッシュするとともに、カード上の雑菌を殺すので衛生的である。
【考案を実施するための最良の形態】
【０００８】
以下、図面を参照して本考案を実施するための最良の実施形態について説明する。
【０００９】
図１において、本考案のカードＣは矩形をなし、プラスチックを基材として複数の層から形成され、その表側の適宜位置には、細長い磁気層がｍが設けられている。
【００１０】
図２は、カードＣの層構成を示すものであり、プラスチック1の上下には、マイナスイ
オンを発生させるパウダーが含有された樹脂層２ａ、２ｂが設けられている。前記プラスチック基材１の上側の樹脂層２ａの上側には絵柄が印刷された絵柄層３が設けられ、この絵柄層３の外側には絵柄層を保護するためのオーバーシート層４ａが設けられ、このオーバーシート層４ａ内には前記ストライプ上の磁気層ｍが設けられている。前記下側の樹脂層２ｂの下側にもオーバーシート層４ｂが形成されている。このオーバーシート層４ａ、４ｂの外側には、抗菌剤層５ａ、５ｂが付着されている。
【００１１】
前記基材１は、プラスチックのほかに紙、金属等特に限定はなく、ＩＣカード等に一般的に使用されているポリ塩化ビニール、ＰＥＴ等が好ましい。
【００１２】
前記樹脂層２ａ、２ｂは、マイナスイオンを発生する粉体を結着剤、分散剤によって処理してスクリーン印刷等各種印刷により形成される。マイナスイオンを発生する粉体としては、トルマリン、ドラバイト等が使用される。これらトルマリンとドラバイトを混合してもよい。前記絵柄層３は、プロセスインキもしくは特色インキで絵柄を印刷したものであり、公知の手段で形成される。オーバーシート層４ａ、４ｂとしては、透明な熱可塑性樹脂が設けられ、例えば、塩化ビニール、アクリル、ポリエステル等の樹脂が用いられる。磁気層ｍは、例えば、γ−Ｆｅ２Ｏ３、Ｆｅ−Ｃｒ等の公知の磁性微粒分散液からなる磁性塗料を塗工して形成される。前記マイナスイオンを発生する粉体は、前記樹脂層２ａ、２ｂに混入されるばかりでなく、基材１、絵柄層２ａ、２ｂ、樹脂層ｍに混入されてもよい。
【００１３】
前記オーバーシート層の外側には、抗菌剤層５ａ、５ｂが形成され、この抗菌剤層５ａ、５ｂとして、例えば光触媒が塗布されている。この光触媒としては酸化チタンの０．３μ〜１０μ程度の粒子に銀又は白金の電極を担持するとともに菌の吸着剤としてハイドロキシアパタイトを混入したものが使用され、この粒子を水性又は油性の塗料としてオーバーシート層４ａ、４ｂ上にオーバーシート層よりも薄く、例えば５〜１００μの厚さに塗工される。抗菌剤としては光触媒の他に公知の銀系無機抗菌剤、銅系無機抗菌剤の使用も可能であるが、これら抗菌剤の粒子はカード表面に露出していることが必要である。光触媒においては、酸化チタンの粒子が抗菌剤層の表面に露出しており、この粒子にカードを取り扱う人の指の水分、空気中の水分を接触させる必要があり、そのためには、抗菌剤層５ａ、５ｂは必要以上に厚くする必要がなく、５〜１００μのように光触媒が外部にできるだけ露出するような厚さとすることが好ましい。また、銀又は銅系抗菌剤中の銀粒子又は銅粒子もその殺菌効果を発揮するためには、これらの粒子が菌と接する必要がある。これら抗菌剤においては、カード使用中に抗菌剤層が摩耗して表面に抗菌粒子がしだいに表面に露出しつつその効果を持続することとなる。前記光触媒層においては、抗菌剤層を印刷によって形成してもよく、スプレー方式で形成してもよい。特に銀粒子を電極して使用する光触媒においては、その銀粒子は手に触れれば直接抗菌剤としても作用して２つの作用を同時に果たすことができて便利である。更にカードは表面は人間の指に直接触れることから衛生上抗菌剤層として有機溶剤を使うことは好ましくないので、水を溶媒として使用する水性塗料として形成した光触媒を使うことが好ましい。
【産業上の利用可能性】
【００１４】
本考案は、キャッシュカード、クレジットカード等のプラスチックカードを作成する印刷業界、光触媒の業界、これを使用する金融業界、カードに載せてサービスを提供するサービス業界等において使用される。
【図面の簡単な説明】
【００１５】
【図１】本考案の斜視図である。
【図２】本考案のカードの層構成を示す断面図である。
【符号の説明】
【００１６】
Ｃ…カード
ｍ…磁気層
２ａ、２ｂ…樹脂層
４ａ、４ｂ…オーバーシート層
５ａ、５ｂ…抗菌剤層
【図１】
0003107338.tif 000003
【図２】
0003107338.tif 000004